(57)【要約】      （修正有）【課題】イオンゲージチューブを負圧（真空）状態で大電流を流しつつ安定したオペレーションをさせられるよう特別に設計した、イオンゲージチューブ針と電源ソケットの間に挿入して使用する冷却機能付電源アダプターを提供する。【解決手段】極めて僅かの冷却ファン２駆動用電力を電源アダプター１ピンから直接供給を受け、大電流に起因するソケット部の発熱を冷却ファンにより冷却しソケット部の温度を低減する。【効果】このアダプターは方向性が無く簡単に挿入できるので、交換修理が極めて短時間で行え電源ソケットに長時間大電流を流しても安全性が確保できる。【選択図】図１
0003133336.tif 000002
【実用新案登録請求の範囲】
【請求項１】
イオンゲージチューブのプラグとソケット間に挿入するかその他類似の大電流伝送環境下において使用する冷却機能付電源アダプター。電源アダプターの片側或いは両側に放熱用冷却ファンが取り付けられており極めて少量の冷却ファン用電力は電源アダプター内部の接続ピンから供給される。
【請求項２】
交流ファンが付いている請求項１の冷却ファン付電源アダプター。
【請求項３】
直流ファンを使用する為に電源アダプター上に整流器が取り付けられている請求項１の冷却ファン付電源アダプター。
【請求項４】
片側にプラグ反対側にソケットがあり、複数個のアダプターを直列に連結して電源に接続できる請求項１の冷却ファン付電源アダプター。
【請求項５】
プラグ側とソケット側は対称構造に設計されておりどちら側も無方向性アダプターとして接続できる請求項１の冷却ファン付電源アダプター。
【請求項６】
プラグがなくソケットだけで電源コードを介して電源に直接接続される請求項１の冷却ファン付電源アダプター。一方ソケットがなくプラグだけで電源コードを介して電源に接接続される請求項１の冷却ファン付電源アダプターも含まれる。
【考案の詳細な説明】
【技術分野】
【０００１】本考案は複数の接続ピン或いは貫通針を内蔵し当該アダプターの中核部を構成する中空ベークライトハウジングに関するものである。冷却用ファンは中核部の片側或いは両側に取り付けられ放熱機能を果している。このようなデザインにすると殆ど駆動電力を必要とせず大電流により発生する熱を冷やし当該アダプターのコネクターピンの強制換気を可能としベークライトハウジング材料の炭化、変色、そして最後に焼けてしまうのを避けることができる。このアダプターをイオンゲージチューブ針と電気ソケット或いは類似の大電力用ソケットの間に適用すれば、電気ソケットを低温状況で動作させることができるので寿命も延びるだけでなく動作温度が高いため引き起こされる火災事故を避ける事ができシステムの安全性と安定性が高められる。
【背景技術】
【０００２】負圧或いは真空度を測定する為イオンゲージチューブを使う業界では通常次の問題が発生している。消耗電力が大きく、労働時間が恒常的に長くなり、遠隔モニタリングが必要とされている。この様な使用方法は半導体製造装置、例えばＣＶＤ（化学蒸着）、ＰＶＤ（物理蒸着）、インプランター及び他の工業分野で非常に良く見受けられる。
従来電源ソケットは通常ダクトを通した電源ケーブルを介して直接イオンゲージチューブに接続されており、オペレーターによる遠隔モニターが可能となっている。大電力伝送と長時間の連続運転の為大電力伝送により発生する熱が蓄積し電源ソケットを高温環境下で使用し続けるようになっている。その為電源ソケットの材料が徐々に炭化、変色、劣化そして終には焼けてしまうだけでなく全装置のシステムオペレーションが危険に曝され不安定になる。このような状況で、交換修理業務を行う場合、単にイオンゲージチューブからソケットを引き抜くだけでは済まず、ダクトに収められている全てのコードを交換することが必要となる。
最終的には単純なソケットの問題が多大な時間の浪費と高額な修理代を生む元凶となる。従来の装置ではこのようなケースが頻繁に発生している。それ故、上述の欠点を解決するため、本考案はイオンゲージチューブと電源ソケットの間に挿入する新しい冷却機能付アダプターを提案するものであり、その結果電源ソケッは低温下で長期間メインテナンスフリーで使用できるようになる。
【考案の開示】
【考案が解決しようとする課題】
【０００３】電源ソケットに大電流を流すと接続ピンやコネクター部に熱が発生蓄積されソケット部材から煙が出たり火災を発生する原因となるだけでなくピンが酸化され抵抗値が更に増大し発熱を助長する。本考案は大電流に起因する熱量が蓄積されるのを予防しコネクターの寿命を延ばすことである。
【課題を解決するための手段】
【０００４】上記目的を達成するため、本考案は極めて僅かの冷却ファン駆動用電力を電源アダプターピンから直接供給を受け、大電流に起因するソケット部の発熱を予防しソケット部の温度を低減するための冷却ファンを備えることを特徴とする。
【考案の効果】
【０００５】冷却ファンの冷却効果によりベークライトハウジング材が炭化されたり、変色したり、劣化したりそして最終的には焼けてしまううことを防止しソケット部のみならず、機器の寿命を延ばし安定した機器の動作を保障することが出来る。
【考案を実施するための最良の形態】
【０００６】本考案の最良の形態は接続ピン或いは貫通針を内蔵する中空のベークライトハウジングより構成されている電源アダプターでその両端若しくは片側に冷却ファンが取り付けられて電源アダプターを冷却する構造になっているものである。
【実施例】本考案を次の例によって更に例示する。【０００７】図１から図１２に示す様に、本考案によれば冷却ファン２が電源アダプター１側に取り付けられており、大電流を伝送しながら電源アダプターを使用することが出来る。電源アダプター１の片側はプラグ１１として機能し、反対側はリセプタクル１２として機能する。プラグ１１とリセプタクル１２の間は接続ピン或いはケーブルにより電気的接続が保たれている。構造上は冷却ファン２が電源ダプター１の片側若しくは両側に取り付けられていることが本考案の特徴である。冷却ファン２の駆動電源は電源アダプター１から供給されている。電源アダプター１をイオンゲージチューブとその電源ソケットの間に接続する場合、イオンゲージチューブ針は電源アダプターのリセプタクル１２に差し込まれ電源アダプターのプラグ１１とイオンゲージチューブのソケットの接続が完了する。冷却ファン２には自動的に電力が供給されるので、強制的に換気が行われソケット、電源アダプター１を通ってイオンゲージチューブに流れる大電流により電源アダプター１の内部に発生する熱が冷やされるので、その発生源から熱発散の問題を回避できる。本考案の電源アダプター１は冷却機能を持っているので、長時間使用しても熱発散の問題で悩まされることはなくなる。それ故、本電源アダプター１は如何なる大電力伝送環下に於いても、安定且つ安全に機器を作動させるのに最適であり、これはイオンゲージチューブに限定されるものではない。本電源アダプター１は放熱の問題がある如何なるプラグとソケットの間に挿入して使うことができる。【０００８】上記の冷却ファン２は交流ファンでも直流ファンでも構わない。直流で使用する場合は整流器（上記図面上には表示されていない）を電源アダプター１のハウジング上に取り付け接続ピン１３から取り込む交流電力を整流し直流として直流ファンに供給する。【０００９】更に、本考案はプラグ１１若しくはリセプタクル１２の端にあるピン数やピン寸法によって制限を受けるものではない。例えば、図１及び図２には２ピンタイプが例示してあり、図３及び図４にはプラグ１１或いはリセプタクル１２が４ピンである場合が例示してある。図５、図６、図７及び図８には本考案の別の具体例が表示してあり、プラグ１１とリセプタクル１２が共に６ピンである。図９と図１０はピン数は１０である。要するに、プラグ１１とリセプタクル１２のピン数とピン寸法は色々変化しても全て本考案の範疇に入るものである。本考案を好ましい実施例を挙げて説明したが上記請求項目に記載した本考案の精神と範疇から逸脱しないでピン数やピン寸法は色々変化並びに変更する事が可能な事は明らかである。
【産業上の利用可能性】
【００１０】イオンゲージチューブで真空度或いは負圧を測定することが求められる業界、例えば半導体製造業ではＣＶＤ（化学蒸着）、ＰＶＤ（物理蒸着）、インプランター等の装置に通常大電流を流し、同一条件を維持しながら長時間連続運転し、その運転状況は遠隔操作で常時モニターされている。このような条件下では、電源ソケット等が長時間の発熱により焼きついたり、火災の原因になったりした場合は工場が一時的にせよ操業停止となり重大な損害が発生する。それ故、電源ソケット部の発熱を抑えメンテナンスサイクルを長く保つことが非常に重要である。又、ソケット部品及び電源ケーブルを定期的に保守交換するする場合も出来るだけ速やかに作業を完了する必要がある。その為冷却機能付電源アダプターは大電流を使用する装置を使う産業、特に半導体産業に貢献する度合いは極めて大きいと言える。
【図面の簡単な説明】
【００１１】本考案の具体例を挙げ、その利点と目的を具体的に説明する。
【図１】  本考案の具体例１を示す三次元図である。
【図２】  本考案具体例１を別の視線から眺めた三次元図である。
【図３】  本考案の具体例２を示す三次元図である。
【図４】  本考案具体例２を別の視線から眺めた三次元図である。
【図５】  本考案の具体例３を示す三次元図である。
【図６】  本考案具体例３を別の視線から眺めた三次元図である。
【図７】  本考案の具体例１を示す二次元構造図である。
【図８】  「図７」に示した本考案のＡ−Ａ断面図である。
【図９】  本考案の具体例４を示す三次元図である。
【図４】  本考案具体例４を別の視線から眺めた三次元図である。
【図１０】  本考案の具体例５を示す三次元図である。
【図１１】  本考案具体例５を別の視線から眺めた三次元図である。
【符号の説明】
【００１２】            １  電源アダプター
２  冷却ファン
３  接続ピン／プラグのオス端子
４  接続ピン／リセプタクルのメス端子
５  接続ピン／ケーブル
【図１】
0003133336.tif 000003
【図２】
0003133336.tif 000004
【図３】
0003133336.tif 000005
【図４】
0003133336.tif 000006
【図５】
0003133336.tif 000007
【図６】
0003133336.tif 000008
【図７】
0003133336.tif 000009
【図８】
0003133336.tif 000010
【図９】
0003133336.tif 000011
【図１０】
0003133336.tif 000012
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
イオンゲージチューブのプラグとソケット間に挿入するかその他類似の大電流伝送環境下において使用する冷却ファン付電源アダプターにおいて、
（１）電源アダプターの片側或いは両側に放熱用冷却ファンが取り付けられている構成になっていること。
（２）冷却ファン用電力は電源アダプター内部の接続ピンから供給される構成になっていること。
以上からなる冷却ファン付電源アダプター。
【請求項２】
交流ファンが付いている請求項１の冷却ファン付電源アダプター。
【請求項３】
直流ファンを使用する為に電源アダプター上に整流器が取り付けられている請求項１の冷却ファン付電源アダプター。
【請求項４】
片側にプラグ反対側にソケットがあり、複数個のアダプターを直列に連結して電源に接続できる請求項１の冷却ファン付電源アダプター。
【請求項５】
プラグ側とソケット側は対称構造に設計されておりどちら側も無方向性アダプターとして接続できる請求項１の冷却ファン付電源アダプター。
【請求項６】
請求項１の冷却ファン付電源アダプターにおいて、
（１）プラグがなくソケットだけで電源コードを介して電源に直接接続できる構成になっていること。
（２）ソケットがなくプラグだけで電源コードを介して電源に直接接続できる構成になっていること。
以上からなる冷却ファン付電源アダプター。
【手続補正２】
【補正対象書類名】明細書
【補正対象項目名】００１１
【補正方法】変更
【補正の内容】
【００１１】
【図１】  本考案の具体例１を示す三次元図である。
【図２】  本考案具体例１を別の視線から眺めた三次元図である。
【図３】  本考案の具体例２を示す三次元図である。
【図４】  本考案具体例２を別の視線から眺めた三次元図である。
【図５】  本考案の具体例３を示す三次元図である。
【図６】  本考案具体例３を別の視線から眺めた三次元図である。
【図７】  本考案の具体例１を示す二次元構造図である。
【図８】  「図７」に示した本考案のＡ−Ａ断面図である。
【図９】  本考案の具体例４を示す三次元図である。
【図１０】  本考案の具体例５を示す三次元図である。
【手続補正６】
【補正対象書類名】明細書
【補正対象項目名】０００７
【補正方法】変更
【補正の内容】
【０００７】図１から図１０に示す様に、本考案によれば冷却ファン２が電源アダプター１側に取り付けられており、大電流を伝送しながら電源アダプターを使用することが出来る。電源アダプター１の片側はプラグ１１として機能し、反対側はリセプタクル１２として機能する。プラグ１１とリセプタクル１２の間は接続ピン或いはケーブルにより電気的接続が保たれている。構造上は冷却ファン２が電源ダプター１の片側若しくは両側に取り付けられていることが本考案の特徴である。冷却ファン２の駆動電源は電源アダプター１から供給されている。電源アダプター１をイオンゲージチューブとその電源ソケットの間に接続する場合、イオンゲージチューブ針は電源アダプターのリセプタクル１２に差し込まれ電源アダプターのプラグ１１とイオンゲージチューブのソケットの接続が完了する。冷却ファン２には自動的に電力が供給されるので、強制的に換気が行われソケット、電源アダプター１を通ってイオンゲージチューブに流れる大電流により電源アダプター１の内部に発生する熱が冷やされるので、その発生源から熱発散の問題を回避できる。本考案の電源アダプター１は冷却機能を持っているので、長時間使用しても熱発散の問題で悩まされることはなくなる。それ故、本電源アダプター１は如何なる大電力伝送環下に於いても、安定且つ安全に機器を作動させるのに最適であり、これはイオンゲージチューブに限定されるものではない。本電源アダプター１は放熱の問題がある如何なるプラグとソケットの間に挿入して使うことができる。